(57)【特許請求の範囲】
【請求項１】
媒体支持面で被記録媒体を支持する媒体支持部を有する記録装置であって、
前記媒体支持面に設けられた吸引孔を介して吸引を行う吸引装置と、
前記被記録媒体の搬送方向と略直交する方向の側縁部において前記被記録媒体を覆って保持する保持部材と、
軟弾性材で形成されるとともに前記被記録媒体の幅及び前記保持部材の位置に応じて移動可能に設けられ、前記保持部材よりも前記搬送方向と略直交する方向の外側に位置する前記吸引孔を覆うカバー部材と、
前記カバー部材を前記搬送方向と略直交する方向の外側に向けて巻き取る巻き取り装置と、
を備えることを特徴とする記録装置。
【請求項２】
請求項１記載の記録装置において、
前記巻き取り装置で巻き取った前記カバー部材の巻き戻りを規制する規制装置を有することを特徴とする記録装置。
【請求項３】
請求項２記載の記録装置において、
前記吸引装置の吸引動作の後に、前記巻き取り装置の巻き取り動作を開始させるように、前記吸引装置及び前記巻き取り装置の動作を制御する制御装置を有することを特徴とする記録装置。
【請求項４】
請求項３記載の記録装置において、
前記巻き取り装置は、前記媒体支持部よりも前記搬送方向と略直交する方向の外側で、且つ前記媒体支持面よりも下方の位置に設けられることを特徴とする記録装置。
【請求項５】
請求項４記載の記録装置において、
前記カバー部材の先端は、前記保持部材に接続されていることを特徴とする記録装置。
【発明の詳細な説明】
【技術分野】
【０００１】
本発明は、記録装置に関するものである。
【背景技術】
【０００２】
従来では、被記録媒体において、何らかの原因によってカールが生じた場合の対策として、被記録媒体の両側部に薄い樹脂シートからなる押さえ部材を設け、押さえ部材とプラテンの媒体支持面との間に形成された隙間に被記録媒体を挿入することにより、カールに起因する不具合を回避する技術が提供されている（例えば、特許文献１参照）。
【０００３】
上記の記録装置では、被記録媒体を負圧吸引することで媒体支持部（プラテン）に吸着保持させる方式を採ることが多いが、被記録媒体の幅は複数種存在するため、用いる被記録媒体の幅に応じて押さえ部材を移動させる必要がある。例えば幅が狭い被記録媒体を用いると、押さえ部材を挟んだ被記録媒体の逆側に位置する吸引部が露出して開放された状態になるため、吸引力が低下するという問題が生じる。
【０００４】
このような問題を解決するための方策の一つとして、特許文献２には、被記録媒体の位置に応じて吸引部の開閉を調整するシャッタを有する開閉装置が記載されている。
【先行技術文献】
【特許文献】
【０００５】
【特許文献１】特開平８−１９７７９９号公報
【特許文献２】特開２００２−２０５８５５号公報
【発明の概要】
【発明が解決しようとする課題】
【０００６】
しかしながら、上述したような従来技術には、以下のような問題が存在する。
プラテンの吸引部全体に亙って吸引部を開閉するシャッタが必要になるため、装置が大型化するという問題が生じるとともに、互いにシャッタと吸引部との間に隙間が存在すると吸引力が低下するため、シャッタ及び吸引部の対向面はいずれも高い平坦度が必要になり、コスト増を招くという問題が生じる。
【０００７】
本発明は、以上のような点を考慮してなされたもので、装置の大型化及びコスト増を抑制できる記録装置を提供することを目的とする。
【課題を解決するための手段】
【０００８】
上記の目的を達成するために本発明は、以下の構成を採用している。
本発明の記録装置は、媒体支持面で被記録媒体を支持する媒体支持部を有する記録装置であって、前記媒体支持面に設けられた吸引孔を介して吸引を行う吸引装置と、前記被記録媒体の搬送方向と略直交する方向の側縁部において前記被記録媒体を覆って保持する保持部材と、軟弾性材で形成されるとともに前記被記録媒体の幅及び前記保持部材の位置に応じて移動可能に設けられ、前記保持部材よりも前記搬送方向と略直交する方向の外側に位置する前記吸引孔を覆うカバー部材と、前記カバー部材を前記搬送方向と略直交する方向の外側に向けて巻き取る巻き取り装置と、を備えることを特徴とするものである。
本発明の記録装置は、媒体支持面で被記録媒体を支持する媒体支持部を有する記録装置であって、前記媒体支持面に設けられた吸引孔を介して吸引を行う吸引装置と、前記被記録媒体の搬送方向と略直交する方向の側縁部において前記被記録媒体を覆って保持する保持部材と、軟弾性材で形成されるとともに前記被記録媒体の幅及び前記保持部材の位置に応じて移動可能に設けられ、前記保持部材よりも前記搬送方向と略直交する方向の外側に位置する前記吸引孔を覆うカバー部材と、を備えることを特徴とするものである。
【０００９】
従って、本発明の記録装置では、吸引孔を介して吸引装置が吸引することにより、被記録媒体を媒体支持面に吸着保持できるとともに、保持部材により被記録媒体の搬送方向と略直交する方向の側縁部において被記録媒体を覆って保持することができる。そして、本発明では、カバー部材が媒体支持面に設けられた吸引孔全体ではなく、上記被記録媒体及び保持部材で覆われていない保持部材よりも搬送方向と略直交する方向の外側に位置する吸引孔を覆うため、装置の大型化及びこれに伴うコスト増を招くことなく吸引力の低下を防止できる。また、本発明では、カバー部材が軟弾性材で形成されており、吸引により媒体支持面に倣わせて密着させることができるため、高い平坦度を保持させることなく吸引力の低下を効果的に抑制することができ、コスト増の防止に寄与できる。
【００１０】
また、上記の記録装置においては、前記カバー部材を前記搬送方向と略直交する方向の外側に向けて巻き取る巻き取り装置を有する構成を好適に採用できる。
これにより、本発明では、カバー部材の余長部分が弛んで媒体支持面から突出して、記録ヘッド等に接触することを防止できる。
【００１１】
また、上記の記録装置においては、前記巻き取り装置で巻き取った前記カバー部材の巻き戻りを規制する規制装置を有する構成を好適に採用できる。
これにより、本発明では、巻き戻ったカバー部材が弛んで媒体支持面から突出して、記録ヘッド等に接触することを防止できる。
【００１２】
また、上記の記録装置においては、前記吸引装置の吸引動作の後に、前記巻き取り装置の巻き取り動作を開始させるように、前記吸引装置及び前記巻き取り装置の動作を制御する制御装置を有する構成を好適に採用できる。
これにより、本発明では、吸引孔を覆う位置にあるカバー部材が巻き取られて吸引孔が開放されることを防止できる。
この場合、前記制御装置は、前記吸引動作時の吸引力よりも小さな力で前記巻き取り動作を行わせることが好ましい。
【００１３】
また、上記の記録装置における前記巻き取り装置としては、前記媒体支持部よりも前記搬送方向と略直交する方向の外側で、且つ前記媒体支持面よりも下方の位置に設けられる構成を好適に採用できる。
これにより、本発明では、巻き取り装置が媒体支持面から突出して記録ヘッド等に接触することを防止できる。
【００１４】
また、上記の記録装置においては、前記カバー部材の先端が、前記保持部材に接続されている構成を好適に採用できる。
これにより、本発明では、被記録媒体の幅に応じて保持部材の位置を調整することにより、カバー部材の位置も同時に調整することができ、調整作業を効率的に行うことができる。
【図面の簡単な説明】
【００１５】
【図１】本発明に係るプリンターの全体の概略を示す側面図。
【図２】本発明に係るカール押さえ手段の概略を示す平面図。
【図３】（Ａ）（Ｂ）は本発明のカール押さえ手段の作用を示す正面断面図。
【発明を実施するための形態】
【００１６】
以下、本発明の記録装置及び記録方法の実施の形態を、図１ないし図３を参照して説明する。
なお、以下の実施の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１７】
図１に示すのは、本発明に係る「記録装置」の一例として示される「液体噴射装置」としてのインクジェットプリンター（以下「プリンター」と言う）１の全体の概略を示す側面図である。また、図２に示すのは、本発明に係るカール押さえ手段の概略を示す平面図である。
【００１８】
ここで、液体噴射装置とは、液体噴射ヘッドとしての記録ヘッドから記録紙等の被記録材へインクを噴射して被記録材への記録を実行するインクジェット式噴射装置や、複写機及びファクシミリ等の記録装置に用いられ、インクに代えて特定の用途に対応する液体を前述した記録ヘッドに相当する液体噴射ヘッドから、被記録材に相当する被噴射材に噴射して、液体を被噴射材に付着させて記録する記録装置に含まれるものである。
【００１９】
またさらに、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００２０】
図１および図２に示す如く、プリンター１は、給送部１０と、記録部２０と、排出部４０とを備えている。このうち、給送部１０は、被噴射媒体および被記録媒体の一例であるロール紙Ｒを記録部２０へ給送することができるように設けられている。  
具体的には、ロール媒体ホルダ１１を有し、ロール媒体ホルダ１１がロール状のロール紙Ｒを保持している。そして、ロール状のロール紙Ｒを回動させることにより、送り方向下流側（搬送方向；Ｙ軸の矢印方向）の記録部２０へ第１ローラ１２を介してロール状態を解いた状態のロール紙Ｒを給送することができるように構成されている。  
尚、本実施形態では、被記録媒体の一例としてロール紙Ｒを挙げて説明するが、単票紙やフィルム材でもよいのは勿論である。
【００２１】
また、記録部２０は、給送部１０から送られたロール紙Ｒに対して液体（流体）の一例であるインクを吐出して記録を実行することができるように設けられている。  
具体的には、媒体支持部であるプラテン２４と、キャリッジ２１と、記録ヘッド２２と、カール押さえ手段３０、カバー装置９０とを有している。このうち、プラテン２４は、支持面（媒体支持面面）２４ａにおいてロール紙Ｒを裏面から支持することができるように設けられている。
【００２２】
また、キャリッジ２１は、プラテン２４と対向し、図示しない第１ガイド軸に案内されながら、図示しないキャリッジモーターの動力によって、ロール紙Ｒの送り方向Ｙに移動することができるように設けられている。  
尚、図１に示すのは、プラテン２４より送り方向上流側へ退避した状態である。キャリッジ２１がプラテン２４より上流側へ移動可能に設けられているのは、後述するカール押さえ部材３１の取り付け・取り外しおよび幅方向Ｘへの移動をオペレーターが容易に行うことができるようにするためである。
【００２３】
記録ヘッド２２は、キャリッジ２１に設けられ、送り方向Ｙにおいてキャリッジ２１と一体に移動することができるように設けられている。さらに、記録ヘッド２２は、ロール紙Ｒの幅方向であるＸ方向において、キャリッジ２１に対して相対的に移動することができるように構成されている。具体的には、図示しない第２ガイド軸に案内されながら、図示しない記録ヘッドモーターの動力によって、幅方向Ｘに移動することができるように設けられている。即ち、記録ヘッド２２は、プラテン２４と対向する範囲において、送り方向Ｙおよび幅方向Ｘへ２次元で移動することができるように構成されている。そして、記録ヘッド２２におけるプラテン２４と対向する面に設けられたノズル列２３からインクを吐出することにより、ロール紙Ｒに対する記録処理を実行することができる。
【００２４】
またさらに、プラテン２４には、吸引手段（吸引装置）２８、圧力室２７、複数の吸引孔２６、２６…および加熱手段２５が設けられている。このうち、吸引手段２８は、圧力室２７の内部の空気を吸引して負圧にすることができるように設けられている。具体的には、一例である軸流ファン２９を有し、軸流ファン２９が圧力室２７の内部の空気を吸引するように構成されている。
【００２５】
また、圧力室２７は、プラテン２４におけるロール紙Ｒを支持する側である鉛直方向上方（Ｚ軸の矢印方向）に設けられた複数の吸引孔２６、２６…と繋がっている。従って、吸引手段２８の吸引により、複数の吸引孔２６、２６…を介してプラテン２４の支持面２４ａ上方の空気を吸引することができる。  
尚、本実施形態では、吸引孔２６、２６…をプラテン２４の全領域に設けたが、少なくとも、ロール紙Ｒの両側縁部Ｒ１、Ｒ１および一対のカール押さえ部材３１Ａ、３１Ｂと対向する範囲に設ければよい。
【００２６】
また、加熱手段２５は、プラテン２４上のロール紙Ｒを加熱することができるように設けられている。記録実行に伴い、ロール紙Ｒの表面に着弾したインクの乾燥を促進するためである。具体的には、一例であるニクロム線２５ａを有している。ニクロム線２５ａは、プラテン２４全領域の内部に、プラテン２４の上面から一定の距離となるように配設されている。そして、通電されることにより、ニクロム線２５ａ自体が発熱し、プラテン２４を介して接触しているプラテン２４上のロール紙Ｒの裏面へ熱を伝導することができる。
【００２７】
ここで、ニクロム線２５ａは、プラテン２４の全領域に設けられているので、プラテン２４の全領域において発熱することができる。そして、プラテン２４上は、凹凸のない滑らかな面となっているので、プラテン２４の上面は、ロール紙Ｒと均一に接触することができる。また、ニクロム線２５ａからプラテン２４の上面までの距離は一定である。従って、プラテン２４上のロール紙Ｒに対して熱を均一に伝導することができる。即ち、ロール紙Ｒを均一に温めることができる。
【００２８】
その結果、ロール紙Ｒの同じ箇所にインクを重ねて吐出する所謂、重ね打ちを実行してもインクが濁ったり、滲んだりする虞がない。即ち、重ねてインクを吐出するときまでに、前に吐出したインクを既に乾燥させておくことができるので、重ね打ちを実行してもインクが濁ったり、滲んだりする虞がない。また、記録時にロール紙Ｒに着弾したインクをすぐに乾燥させることができるので、後述する排出部４０において巻き取られても、ロール紙Ｒの表面のインクが先行するロール紙Ｒの裏面に付着する虞がない。
【００２９】
カール押さえ手段３０は、ロール紙Ｒの幅方向の側縁部Ｒ１を押さえて保持することにより、ロール紙Ｒの側端Ｒ１がカールしてプラテン２４から離間する力である所謂、浮き上がり力に対抗する。そして、ロール紙Ｒの側端Ｒ１の浮き上がりを防止するように構成されている。具体的には、カール押さえ手段３０は、プラテン２４と、可撓性素材で一例としてフィルム状に形成された一対のカール押さえ部材（保持部材）３１Ａ、３１Ｂと、複数の吸引孔２６、２６…と、吸引手段２８とから構成されている。
【００３０】
詳しくは、後述するようにロール紙Ｒの側縁部Ｒ１において、プラテン２４と、カール押さえ部材３１Ａ、３１Ｂと、ロール紙Ｒとによって密閉空間Ａ（図３（Ａ）参照）が構成される。そして、吸引孔２６、２６…を介して吸引手段２８が該密閉空間Ａの内部の空気を吸引することにより、カール押さえ部材３１Ａ、３１Ｂがロール紙Ｒの側縁部Ｒ１を上から押さえ付けて保持するように作用する。  
本実施形態では、カール押さえ部材３１Ａ、３１Ｂは、柔軟性および可撓性を有した軟弾性材からなる帯状の薄いフィルム状に形成されている。ヤング率は１００００ＭＰａ（メガパスカル）以下であり、厚みは０．５ｍｍ以下である。素材は、例えば「ポリイミド、シリコンゴム」等が挙げられる。
【００３１】
図３は、図２におけるＡ−Ａ線視断面図である。
この図に示すように、各カール押さえ部材３１、３１は、プラテン２４上にロール紙Ｒとは間隔をあけて配置されるベース部５１と、ベース部５１上に設けられベース部５１から支持面２４ａ上に延出してロール紙Ｒの側縁部Ｒ１を被覆し、支持面２４ａとの間でロール紙Ｒを保持する保持部５２とを有している。
【００３２】
本実施形態では、カール押さえ部材３１Ａについては固定状態で用いられ、ロール紙Ｒの一方の側縁部Ｒ１を保持する。そして、カール押さえ部材３１Ｂについては複数種類の幅のロール紙Ｒに応じてＸ方向に移動させ、ロール紙Ｒの他方の側縁部Ｒ１を保持する。
【００３３】
プラテン２４より搬送方向上流側（−Ｙ側）には、第１カール押さえ取り付け部３５が配設されている。そして、第１カール押さえ取り付け部３５は、プリンター１の基体部２に対して搬送であるＹ方向へ変位可能に設けられている。また、基体部２に対してＹ方向に変位可能なばね係合部３４が設けられている。そして、引張り手段３２の一例である複数の引っ張りばね３２ａ、３２ａの一端がばね係合部３４と係合している。
【００３４】
また、引っ張りばね３２ａ、３２ａの他端は、第１カール押さえ取り付け部３５と係合している。またさらに、ばね係合部３４は、ばね力切替えレバー３３を揺動することによりばね力切替えレバー３３と一体に設けられた図示しないカムの作用を受けてＹ方向に変位するように構成されている。そして、ばね係合部３４は、第１カール押さえ取り付け部３５を搬送方向上流側へ引っ張ることができるように設けられている。
【００３５】
一方、プラテン２４より搬送方向下流側（＋Ｙ側）には、第２カール押さえ取り付け部３６が配設されている。そして、第２カール押さえ取り付け部３６は、プリンター１の基体部２に固定されている。  
一対のカール押さえ部材３１Ａ、３１Ｂの一端は、固定用ピン３７および固定用補助部材３８…によって、第１カール押さえ取り付け部３５に取り付けられている。具体的には、カール押さえ部材３１Ａ、３１Ｂの一端は、第１カール押さえ取り付け部３５において幅方向Ｘへ延設された第１長穴部３５ａに、固定用ピン３７…が嵌合することにより固定される。
【００３６】
一方、一対のカール押さえ部材３１Ａ、３１Ｂの他端は、前記一端と同様に固定用ピン３７および固定用補助部材３８によって、第２カール押さえ取り付け部３６に取り付けられている。具体的には、第２カール押さえ取り付け部３６において幅方向Ｘへ延設された第２長穴部３６ａに、固定用ピン３７が嵌合することにより、カール押さえ部材３１Ａ、３１Ｂの他端は固定される。
【００３７】
一対のカール押さえ部材３１Ａ、３１Ｂの一端および他端は、鉛直方向であるＺ方向においてプラテン２４の支持面２４ａより少し下がった位置で固定されている。従って、一対のカール押さえ部材３１Ａ、３１Ｂは、自重によってロール紙Ｒの側縁部Ｒ１を上方から軽く押さえることができる。その結果、カール押さえ部材３１Ａ、３１Ｂは、後述するように密閉空間Ａ（図３（Ａ）参照）の輪郭を隙間無く構成することができる。即ち、密閉空間Ａは、隙間無く閉じた空間に形成される。  
尚、カール押さえ部材３１Ａ、３１Ｂの一端および他端の鉛直方向Ｚにおける位置は、プラテン２４の上面と同じ位置または該上面より下がった位置であることが望ましい。後述する密閉空間Ａを構成しやすくなるからである。
【００３８】
一対のカール押さえ部材３１Ａ、３１Ｂの前記一端は、引張り手段３２によって搬送方向上流側へ引っ張られている。  
ここで、一対のカール押さえ部材３１Ａ、３１Ｂの前記一端および他端は、前述したように、プラテン２４の上面より少し下がった位置であるため、一対のカール押さえ部材３１Ａ、３１Ｂに下方へ押さえる力を作用させることができる。そして、一対のカール押さえ部材３１Ａ、３１Ｂは、ロール紙Ｒの側縁部Ｒ１を上方からより強く押さえることができる。  
【００３９】
尚、一対のカール押さえ部材３１Ａ、３１Ｂの前記他端が搬送方向下流側へ引っ張られる構成でもよいのは勿論であり、その結果、後述するように密閉空間Ａの輪郭をより確実に隙間無く構成することができる。また、一対のカール押さえ部材３１Ａ、３１Ｂが弛む虞をなくすことができるため、一対のカール押さえ部材３１Ａ、３１ＢのＹ方向における中間部分が上方へ変位することを抑制できる。その結果、一対のカール押さえ部材３１Ａ、３１Ｂが、移動する記録ヘッド２２と接触する虞を殆ど無にすることができる。そして、該接触により記録ヘッド２２が破損する虞を殆ど無にすることができる。ここで、カール押さえ部材３１Ａ、３１Ｂは、前述したように可撓性素材で形成されているので、仮に記録ヘッド２２と接触した場合であっても、記録ヘッド２２が破損する可能性は極めて小さい。
【００４０】
カバー装置９０は、カール押さえ部材３１Ｂよりも−Ｘ側（外側）に位置する吸引孔２６を覆うものであって、カバー部材９１と、このカバー部材９１が送り出し・巻き取り自在に巻回されたロール装置（巻き取り装置）９２とを主体に構成されている。
【００４１】
カバー部材９１は、カール押さえ部材３１Ａ、３１Ｂと同様の軟弾性材で形成されており、図２に示すように、Ｙ方向について、支持面２４ａに形成された吸引孔２６を一括して覆うことが可能な長さ（プラテン２４とほぼ同じ長さ）を有している。また、カバー部材９１の＋Ｘ側先端は、カール押さえ部材３１Ｂ（ベース部５１）の−Ｘ側の端縁に一体的に接続されている。
【００４２】
ロール装置９２は、図２及び図３に示すように、プラテン２４よりも−Ｘ方向の外側で、且つ支持面２４ａよりも下方の位置に設けられている。また、ロール装置９２は、例えば締結ネジ部材、ラチェット装置、一方向クラッチ装置等からなり、図３中で時計回り方向に回転して巻き取ったカバー部材９１の逆方向への巻き戻りを規制する規制装置が設けられている。ロール装置９２によるカバー部材９１の巻き取り動作は、図示しない制御装置によって制御されたモータ等の回転駆動装置を介して行われる。制御装置は、吸引手段２８による吸引動作と、ロール装置９２による巻き取りの動作とを同期させるように制御する（同期制御については後述）。
【００４３】
記録部２０において記録されたロール紙Ｒは、プラテン２４より送り方向下流側に設けられた第２ローラ１３を介して排出部４０へ送られる。  
排出部４０は、巻き取りローラ４１を有し、記録部２０から送られたロール紙Ｒを巻き取ることができるように構成されている。そして、巻き取ったロール状のロール紙Ｒは、プリンター１から排出することが可能に設けられている。
【００４４】
制御装置は、上述したキャリッジ２１、記録ヘッド２２の駆動やロール紙Ｒの搬送、吸引手段２８、加熱手段２５、ロール装置９２の駆動・動作等を統括的に制御する。
【００４５】
続いて、カール押さえ手段３０の作用について説明する。
図３（Ａ）（Ｂ）に示すのは、本発明のカール押さえ手段の作用を示す概略正面断面図である。このうち、図３（Ａ）はカール押さえ部材をロール紙の側縁部に乗せたときに、密閉空間が形成された様子を示す図である。一方、図３（Ｂ）は吸引手段によって密閉空間が略消滅し、ロール紙の側端の浮き上がりが無くなった様子を示す図である。
【００４６】
図３（Ａ）に示すように、ロール紙Ｒがプラテン２４上に送られた状態で、オペレーターが一対のカール押さえ部材３１Ａ、３１Ｂの位置を、ロール紙Ｒの幅方向Ｘにおいて、ロール紙Ｒの側縁部Ｒ１と対向する位置に合わせる。具体的には、固定用ピン３７…を緩め、第１カール押さえ取り付け部３５の第１長穴部３５ａ内および第２カール押さえ取り付け部３６の第２長穴部３６ａ内を幅方向Ｘへ移動させる。そして、カール押さえ部材３１Ｂがロール紙Ｒの側端Ｒ１の上に乗るように配置する。このとき、カール押さえ部材３１Ａ、３１Ｂの中、ベース部５１はロール紙Ｒと離間し、保持部５２はロール紙Ｒの側縁部Ｒ１を覆うように配置する。その後、固定用ピン３７…を締めて固定する。
【００４７】
なお、本実施形態では、上述したように、基準となるカール押さえ部材３１Ａについては固定状態で用いられるため、カール押さえ部材３１Ｂについてのみ、Ｘ方向の位置調整を行う。また、上記のカール押さえ部材３１Ｂの位置調整を行う際には、吸引手段２８による吸引を停止させておく。
【００４８】
このとき、ロール紙Ｒの側縁部Ｒ１は、加熱手段２５により加熱され、カールする傾向にある。従って、側端Ｒ１は、上方へ浮き上がるようにカールする。  
そこで、一対のカール押さえ部材３１Ａ、３１Ｂの保持部５２をロール紙Ｒの側縁部Ｒ１に乗せて、プラテン２４、ロール紙Ｒの側端Ｒ１近傍および保持部５２によって送り方向Ｙから視て三角形の密閉空間Ａを構成する。
【００４９】
即ち、プラテン２４を底辺、ロール紙Ｒの側縁部Ｒ１近傍を一の斜辺、保持部５２を他の斜辺とした閉じられた三角形の密閉空間Ａである。  
ここで、前述したように、一対のカール押さえ部材３１Ａ、３１Ｂには、下方へ押さえる力が多少なりとも作用しているので、一対のカール押さえ部材３１Ａ、３１Ｂの一の側端Ｅ１をプラテン２４と少なくとも線接触させることができる。同様に、一対のカール押さえ部材３１Ａ、３１Ｂの他の側端Ｅ２側の面をロール紙Ｒの側縁部Ｒ１と少なくとも線接触させることができる。
【００５０】
また、上述したカール押さえ部材３１Ｂの位置を調整する際には、図３（Ａ）に示すように、カール押さえ部材３１Ｂの端縁に接続されたカバー部材９１をロール装置９２から引き出して、カール押さえ部材３１Ｂよりも−Ｘ側に位置する吸引孔２６を覆う。
具体的な手順としては、まず、ロール装置９２の規制装置を解除して、カバー部材９１を引出可能にする。
【００５１】
次いで、カール押さえ部材３１Ｂの位置に応じてカバー部材９１を引き出しつつ、カール押さえ部材３１Ｂをロール紙Ｒの側縁部Ｒ１を覆う支持面２４ａ上の位置に載置するとともに、カール押さえ部材３１ＢよりもＸ方向の外側に位置する吸引孔２６を、引き出したカバー部材９１で被覆する。
【００５２】
そして、ロール紙Ｒ、カール押さえ部材３１Ｂ及びカバー部材９１が支持面２４ａ上の所定位置に載置されると、制御装置は、吸引手段２８を作動させて、吸引孔２６からの負圧吸引を行わせる。複数の吸引孔２６、２６…は、プラテン２４上の領域において、少なくともロール紙Ｒの側縁部Ｒ１、Ｒ１およびカール押さえ部材３１Ａ、３１Ｂと対向する領域に設けられている。従って、吸引手段２８は、密閉空間Ａの空気を、吸引孔２６、２６…を介して吸引することができる。
【００５３】
図３（Ｂ）に示すように、吸引孔２６、２６…を介して密閉空間Ａの空気が吸引されると、密閉空間Ａの内部が負圧となる。従って、ロール紙Ｒの両側側縁部Ｒ１、Ｒ１、一対のカール押さえ部材３１Ａ、３１Ｂ及びカバー部材９１は、プラテン２４の支持面２４ａに密に接触した状態となる。即ち、ロール紙Ｒは、側縁部Ｒ１も含めてプラテン２４の支持面２４ａに吸着保持された状態となる（保持工程）。
【００５４】
ここで、カバー部材９１は、軟弾性材で形成されているため、吸引孔２６からの吸引力で引っ張られ、支持面２４ａ及び吸引孔２６の表面形状に倣うため、支持面２４ａとの間に隙間を形成することなく支持面２４ａに密着し被覆する。これにより、吸引手段２８による吸引力は、カール押さえ部材３１ＢよりもＸ方向の外側に位置する吸引孔２６から損失することなくロール紙Ｒ、カール押さえ部材３１Ｂに作用し、これらを安定して支持面２４ａに吸着保持することができる。
【００５５】
ロール紙Ｒ、カール押さえ部材３１Ｂ及びカバー部材９１が支持面２４ａに吸着保持されると、制御装置は、カバー部材９１に弛みが生じていて支持面２４ａよりも突出した状態となることを回避すべく、吸引手段２８による吸引動作の後に、ロール装置９２によるカバー部材９１の巻き取りを実施する。
【００５６】
このとき、制御装置は吸引手段２８による吸引動作時の吸引力よりも小さな力で巻き取り動作を行わせることで、カバー部材９１に対する巻き取り力により、吸引力に抗してカール押さえ部材３１Ｂ及びカバー部材９１が移動してしまい、被覆されていた吸引孔２６の一部が開放されてしまうことを防止できる。
【００５７】
上記のロール紙Ｒを下方へ「押さえる力」は、「吸引力」と「空間表面積」との積となる。ここで、「吸引力」とは、吸引手段２８が吸引孔２６、２６…を介して吸引する圧力をいう。また、「空間表面積」とは、密閉空間Ａの空気がカール押さえ部材３１およびロール紙Ｒの側縁部Ｒ１近傍と接触する面積をいう。  
従って、カール押さえ部材３１及びカバー部材９１を有さない構成と比較して、大きな力でロール紙Ｒの側端Ｒ１を押さえることができる。その結果、ロール紙Ｒの浮き上がり力に十分に対抗することができ、ロール紙Ｒの両側側縁部Ｒ１、Ｒ１を、プラテン２４に密に接触させることができる。即ち、結果的に浮き上がりを防止することができる。
【００５８】
ここで、仮に、ロール紙Ｒの両側側縁部Ｒ１、Ｒ１の浮き上がり力が徐々に強くなり、一対のカール押さえ部材３１Ａ、３１Ｂを上方へ押し上げるように作用した場合、再び、密閉空間Ａが大きく形成されようとするが、負圧が非常に強く作用する。従って、一度、図３（Ｂ）のように密閉空間Ａが消滅した後は、吸引手段２８がＯＦＦにならない限り、ロール紙Ｒの両側側縁部Ｒ１、Ｒ１が浮き上がる虞は殆どない。
【００５９】
このように、本実施形態では、カール押さえ部材３１ＢのＸ方向外側に位置する吸引孔２６をカバー部材９１で被覆するため、ロール紙Ｒの幅に応じてカール押さえ部材３１Ｂを移動させた場合でも、当該吸引孔２６を介して吸引力が低下することを防止できる。また、本実施形態では、カバー部材９１の大きさが、上記カール押さえ部材３１Ｂよりも外側に位置する吸引孔２６を被覆可能であればよく、装置の大型化を抑制できる。さらに、本実施形態では、カバー部材９１が軟弾性材で形成されているため、吸引により支持面２４ａ及び吸引孔２６の表面形状に倣うことができ、高い平坦度を有することなく吸引孔２６を閉塞できるため、コスト増も抑制することが可能である。
【００６０】
また、本実施形態では、ロール装置９２によって、カバー部材９１を巻き取ることで、弛んだカバー部材９１が支持面２４ａよりも突出して記録ヘッド２２に接触する等の事態を未然に回避することができる。加えて、本実施形態では、ロール装置９２によって巻き取ったカバー部材９１の巻き戻りを規制装置により規制しているため、巻き戻ったカバー部材９１が弛んで支持面２４ａよりも突出して記録ヘッド２２に接触する等の事態も未然に回避することができる。さらに、本実施形態では、ロール装置９２が支持面２４ａよりも下方に配置されているため、ロール装置９２が記録ヘッド２２に接触する等の事態についても未然に回避することができる。
【００６１】
さらに、本実施形態では、上述したカバー部材９１の巻き取り動作を、吸引手段２８による吸引動作と同期させ、吸引動作の後に巻き取り動作と動作を開始させているため、カバー部材９１の移動で吸引孔２６が開放されることなくカバー部材９１の弛みを除去することが可能になる。特に、本実施形態では、吸引動作時の吸引力よりも小さな力で巻き取り動作を行わせているため、閉塞されていた吸引孔２６が開放されてしまい吸引力が低下する等の不都合が生じることを回避できる。
【００６２】
また、本実施形態では、カバー部材９１の先端をカール押さえ部材３１Ｂに一体的に接続しているため、カール押さえ部材３１Ｂの位置調整と、カバー部材９１の位置調整を同時に行うことができ、作業効率を向上させることが可能になる。
【００６３】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００６４】
例えば、上記実施形態では、カバー部材９１の先端部をカール押さえ部材３１Ｂに一体的に接続する構成としたが、これに限定されるものではなく、カバー部材９１とカール押さえ部材３１Ｂとを分離させて設ける構成であってもよい。
この場合、カール押さえ部材３１Ｂの位置を調整した後に、カバー部材９１をロール装置９２から引き出して、カール押さえ部材３１Ｂよりも外側に位置する吸引孔２６を被覆すればよい。
【００６５】
また、上記実施形態では、カール押さえ部材３１Ａを固定状態としてカール押さえ部材３１Ｂの位置を調整する構成を採ったことによって、カバー部材９１でカール押さえ部材３１Ｂよりも外側に位置する吸引孔２６を被覆する構成を例示したが、例えばカール押さえ部材３１Ｂを固定状態としてカール押さえ部材３１Ａの位置をロール紙Ｒの幅に応じて移動させる構成としてもよく、この場合、カバー部材９１はカール押さえ部材３１Ａに接続する構成とすればよい。
また、カール押さえ部材３１Ａ、３１Ｂの双方の位置を調整する構成としてもよく、この場合、カール押さえ部材３１Ａ、３１Ｂの外側のそれぞれにカバー装置９０を設ける構成とすればよい。
としてもよい。
【００６６】
また、上記実施形態では、カール押さえ部材３１Ａ、３１Ｂの設置をオペレータが行うものとして説明したが、これに限定されるものではなく、例えば各カール押さえ部材３１Ａ、３１ＢについてＸ方向及びＺ軸周り方向に駆動するアクチュエータをそれぞれ設け、ロール紙Ｒの幅に応じて制御装置が各アクチュエータの駆動を制御することにより、カール押さえ部材３１Ａ、３１Ｂの設置及び位置調整を自動的に行うことにより、生産性の向上に寄与できる。
【００６７】
また、上記実施形態では、ロール装置９２を回転させることでカバー部材９１を巻き取って、カバー部材９１の弛みを除去する構成としたが、これに限られるものではなく、例えば、カール押さえ部材３１Ａ、３１Ｂに対する引張り手段３２と同様の引張り手段を設けてカバー部材９１を引張り、弛みを除去する構成としてもよい。
【符号の説明】
【００６８】
１…インクジェットプリンター（記録装置）、  ２４…プラテン（媒体支持部）、  ２４ａ…支持面（媒体支持面）、  ２６…吸引孔、  ２８…吸引手段（吸引装置）、  ３１Ａ、３１Ｂ…カール押さえ部材（保持部材）、  ９１…カバー部材、  ９２…ロール装置（巻き取り装置）、  Ｒ…ロール紙（被記録媒体）、  Ｒ１…側縁部
【図１】
0005488108.tif 000002
【図２】
0005488108.tif 000003
【図３】
0005488108.tif 000004